(57)【要約】【課題】ダーツをダーツボードから抜くのが楽であり、ストレスなくダーツ遊技を楽しむことができるダーツを提供する。【解決手段】ダーツは、ティップ１０とティップ１０の一端を環囲するバレル２０を備える。ティップ１０はバレル２０の第２バレル部２４を押圧する４本の脚１４ｂを有する。ダーツがダーツボードに刺さるとき、４本の脚１４ｂは第２バレル部２４内を摺動する。これによりダーツの運動エネルギーの一部が熱エネルギーに変換される。【選択図】図２
2014094126.tif 000002
【特許請求の範囲】
【請求項１】
ダーツボードに刺さるとき、長手方向に構造上収縮する緩衝部を備えることを特徴とするダーツ。
【請求項２】
ティップと、
ティップの一端を環囲するバレルと、
ダーツボードに刺さるとき、長手方向に収縮して熱エネルギーを発生する緩衝部と、
を備え、
緩衝部は、ティップがバレルに摺動しながら押し込まれる構造を含むことを特徴とするダーツ。
【請求項３】
請求項２に記載のダーツであり、押し込まれたティップを元の位置に復帰させる復元部をさらに備えることを特徴とするダーツ。
【請求項４】
請求項３に記載のダーツであり、復元部は、ティップの摺動抵抗より大きい力で押し戻す構造を含むことを特徴とするダーツ。
【請求項５】
請求項３または４に記載のダーツであり、
ティップはバレルの長手方向に並設され、バレルの軸に対して傾斜した面で摺動可能に当接される第１ティップ部材と第２ティップ部材とを有することを特徴とするダーツ。
【請求項６】
ティップと、
弾性体と、
ティップの一端と弾性体とを環囲するバレルと、
ダーツボードに刺さるとき、長手方向に収縮する緩衝部と、
を備え、
緩衝部は、
ティップがバレルに押し込まれる構造と、
押し込まれたティップにより弾性体を変形させる構造と、
を含むことを特徴とするダーツ。
【請求項７】
請求項６に記載のダーツであり、緩衝部は、ティップがバレルに押し込まれるとき、弾性体を変形させ、弾性体をバレルに対して摺動させる構造を含むことを特徴とするダーツ。
【請求項８】
請求項２から７のいずれかに記載のダーツであり、緩衝部は、バレル内とダーツ外部との間で空気を出入りさせるための構造をさらに含むことを特徴とするダーツ。
【請求項９】
請求項１に記載のダーツであり、粘弾性体をさらに備え、緩衝部は粘弾性体を変形させることを特徴とするダーツ。
【請求項１０】
ダーツがダーツボードに刺さるとき、ティップが本バレルに摺動しながら押し込まれる構造を含むことを特徴とするバレル。
【請求項１１】
ティップが接続された第１の構造体と、
前記第１の構造体と相対的に移動可能な第２の構造体と、を備え、
ダーツボードに刺さるとき、前記第１の構造体と前記第２の構造体とが摺動することを特徴とするダーツ。
【請求項１２】
請求項１１に記載のダーツであり、ダーツボードに刺さったときの、前記第１の構造体と前記第２の構造体の相対的な位置を、ダーツボートに刺さる前の位置に戻す復元部を更に備えることを特徴とするダーツ。
【発明の詳細な説明】
【技術分野】
【０００１】
本発明はバレルおよびダーツに関する。
【背景技術】
【０００２】
ダーツ遊技は、子供からお年寄りまで、また男女を問わず普及してきている。普及の背景には、先端部分に樹脂など比較的やわらかい素材を使うことで安全性を高めたソフトダーツと、エレクトリックダーツボードと呼ばれる、点数の自動計算機能を持ったダーツボードの登場がある。近年では、ＩＣカードを介してネットワークサーバに個人記録を残せる装置やネットワーク対戦ができる装置が登場し、その普及に拍車がかかっている（例えば、特許文献１、２参照）。
【先行技術文献】
【特許文献】
【０００３】
【特許文献１】特開２０１０−２２０７８４号公報
【特許文献２】特開２００９−１１９０３８号公報
【発明の概要】
【発明が解決しようとする課題】
【０００４】
ダーツ遊技を楽しんでいると、ダーツがダーツボードに深く刺さり、抜くのが大変なときがある。これは、ダーツ遊技を楽しむ上でのストレスとなる。特に、非力な子供、女性、お年寄りには大きなストレスとなる。
【０００５】
本発明はこうした状況に鑑みてなされたものであり、その目的は、ダーツボードから抜くのが楽であり、ストレスなくダーツ遊技を楽しむことができるダーツの提供にある。
【課題を解決するための手段】
【０００６】
上記課題を解決するために、本発明のある態様のダーツは、ダーツボードに刺さるとき、長手方向に構造上収縮する緩衝部を備える。
【０００７】
この態様によると、緩衝部は長手方向に構造上収縮する。
【０００８】
本発明の別の態様もまた、ダーツである。このダーツは、ティップと、ティップの一端を環囲するバレルと、ダーツボードに刺さるとき、長手方向に収縮して熱エネルギーを発生する緩衝部と、を備える。緩衝部は、ティップがバレルに摺動しながら押し込まれる構造を含む。
【０００９】
この態様によると、ティップがバレルに摺動しながら押し込まれ、熱エネルギーが発生する。
【００１０】
本発明のさらに別の態様もまた、ダーツである。このダーツは、ティップと、弾性体と、ティップの一端と弾性体とを環囲するバレルと、ダーツボードに刺さるとき、長手方向に収縮する緩衝部と、を備える。緩衝部は、ティップがバレルに押し込まれる構造と、押し込まれたティップにより弾性体を変形させる構造と、を含む。
【００１１】
この態様によると、ティップがバレルに押し込まれることにより弾性体が変形する。
【００１２】
本発明のさらに別の態様は、バレルである。このバレルは、ティップの一端を環囲するバレルであって、ダーツがダーツボードに刺さるとき、ティップが本バレルに摺動しながら押し込まれる構造を含む。
【００１３】
この態様によると、ティップがバレルに摺動しながら押し込まれ、熱エネルギーが発生する。
【発明の効果】
【００１４】
本発明によれば、ダーツボードから抜くのが楽であり、ストレスなくダーツ遊技を楽しむことができるダーツを提供できる。
【図面の簡単な説明】
【００１５】
【図１】図１（ａ）、図１（ｂ）は、第１の実施の形態に係るダーツを示す正面図および側面図である。
【図２】図２（ａ）、図２（ｂ）は、図１（ａ）、図１（ｂ）のダーツのティップおよびバレル周辺を示す断面図である。
【図３】図３（ａ）、図３（ｂ）は、図２（ａ）、図２（ｂ）のティップの側面図および背面図である。
【図４】第２の実施の形態に係るダーツのティップおよびバレル周辺を示す断面図である。
【図５】第３の実施の形態に係るダーツのティップおよびバレル周辺を示す断面図である。
【図６】図６（ａ）、図６（ｂ）は、第４の実施の形態に係るダーツのティップおよびバレル周辺を示す断面図である。
【図７】図７（ａ）、図７（ｂ）は、第５の実施の形態に係るダーツのティップおよびバレル周辺を示す断面図である。
【図８】第６の実施の形態に係るダーツのティップおよびバレル周辺を示す断面図である。
【図９】図９（ａ）、図９（ｂ）は、第７の実施の形態に係るダーツのティップおよびバレル周辺を示す断面図である。
【図１０】第８の実施の形態に係るダーツのティップおよびバレル周辺を示す断面図である。
【図１１】図１１（ａ）は第２の実施の形態の変形例に係るダーツのティップおよびバレル周辺を示す断面図であり、図１１（ｂ）は回り止め部材および第１部材の断面図である。
【図１２】図１２（ａ）、図１２（ｂ）は、第５の実施の形態の変形例に係るダーツのティップおよびバレル周辺を示す断面図である。
【図１３】図１３は、第２の実施の形態の他の変形例に係るダーツのティップおよびバレル周辺を示す断面図である。
【発明を実施するための形態】
【００１６】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１７】
（第１の実施の形態）
本実施の形態に係るダーツの概要は以下のとおりである。
本実施の形態に係るダーツは、ダーツボードに刺さるとき、ダーツボードとの衝突によってティップがバレルに押し込まれる。ティップの一部はバレルの内周面を押圧するよう構成されているため、バレルに押し込まれるときにその内周面を摺動する。これにより摩擦熱が発生する。バレルに押し込まれたティップは、バレル内に設けられた弾性体により元の位置に復帰する。このときもティップの一部がバレルの内周面を摺動し、摩擦熱が発生する。つまり、本ダーツは、ダーツボードに刺さるときに長手方向に構造を変形させ、運動エネルギーの一部を熱エネルギーに変換して消失させる。運動エネルギーが消失した分、ダーツがダーツボードに刺さる深さは浅くなる。
【００１８】
図１（ａ）、図１（ｂ）は第１の実施の形態に係るダーツ１を示す正面図および側面図である。ダーツ１は、ティップ１０と、バレル２０と、シャフト３０と、フライト４０と、を含む。
以降ティップ１０側を前側、フライト４０側を後ろ側として説明する。
【００１９】
ティップ１０はダーツボード（不図示）に突き刺さる部材である。バレル２０はダーツ１の胴体部分で、一般にダーツ１の重心が位置し、投げるときにプレーヤーが手に持つ部材である。
【００２０】
シャフト３０はバレル２０とフライト４０をつなぐ部材である。シャフト３０は樹脂材料により形成される。シャフト３０は後方に向かって緩やかに縮径した形状を有する。
【００２１】
フライト４０は、ダーツ１の飛行安定性を確保するための部材である。フライト４０は樹脂材料により形成される。フライト４０は、ダーツ１の長手方向の周りに９０度間隔で設けられた４枚の羽根４４を有する。
【００２２】
図２（ａ）、図２（ｂ）はダーツ１のティップ１０およびバレル２０周辺を示す断面図である。図２（ａ）、図２（ｂ）は図１（ａ）のＡ−Ａ線断面、Ｂ−Ｂ線断面にそれぞれ対応する。ダーツ１はさらに弾性体５０を含む。
【００２３】
バレル２０は、タングステンとニッケルの合金によって形成される。もちろん、純タングステン、真鍮、その他の材料によって形成されてもよい。バレル２０は第１バレル部２２と、第１バレル部２２の後方に設けられる第２バレル部２４とを有する。第１バレル部２２と第２バレル部２４は、断面が円形の円筒状に形成される。第１バレル部２２は、第２バレル部２４よりも内径が小さく形成される。言い換えると、バレル２０の内周面には段差が形成される。この段差の側壁２６にティップ１０の後端部１４（後述）の一部が突き当たり、ティップ１０がバレル２０から抜けないようになっている。第２バレル部２４の後端の内周側には雌ねじが形成され、外周側に雄ねじが形成されたシャフト３０が螺合される。
【００２４】
図３（ａ）、図３（ｂ）は、ティップ１０の側面図および背面図である。ティップ１０は、樹脂材料により形成される。ティップ１０は、先端部１２と、バレル２０に環囲される後端部１４とを有する。先端部１２は、前方に向かって緩やかに縮径した形状に形成される。後端部１４は、本体部１４ａと、本体部１４ａの後方に設けられる４本の脚１４ｂとを有する。本体部１４ａはここでは円柱状に形成される。本体部１４ａの外周面には、本体部１４ａを長手方向に貫通する凹部である溝１４ｄが直線的に形成される。したがって、ティップ１０がバレル２０に取り付けられた状態では、溝１４ｄと第１バレル部２２の内周面２２ａとによって通気孔６０が形成される。
【００２５】
４本の脚１４ｂは、ティップ１０の長手方向の周りに９０度間隔で設けられ、長手方向に直交する方向に広がるように形成される。より具体的には、対向する脚１４ｂの先端間の距離Ｌが第２バレル部２４の内径Ｄより大きくなるよう形成される。したがって、ティップ１０がバレル２０に取り付けられた状態では、脚１４ｂは第２バレル部２４の内周面２４ａを押圧する。そのため、バレル２０に対するティップ１０の移動にともなって４本の脚１４ｂが第２バレル部２４内を摺動し、摩擦熱が発生する。また、脚１４ｂは、ティップ１０の長手方向に略直交する面１４ｃを有する。面１４ｃは、ティップ１０がバレル２０に取り付けられたときに側壁２６と対向する。
【００２６】
図２に戻り、バレル２０内とダーツ１外部とは通気孔６０で連通される。したがって、バレル２０内とダーツ１外部の圧力は同一に保たれる。仮に通気孔６０がないと、ティップ１０がバレル２０に摺動しながら押し込まれるときにバレル２０内の圧力が高くなり、ティップ１０の摺動が阻害される。
【００２７】
第２バレル部２４内には、ティップ１０とシャフト３０に挟まれて弾性体５０が収容される。ここでは弾性体５０はコイルばねである。ティップ１０は弾性体５０によって、脚１４ｂの面１４ｃが側壁２６に突き当たった状態（以下、「初期状態」と呼ぶ）で押さえ付けられる。ダーツ１がダーツボードに刺さり、ティップ１０がバレル２０に押し込まれたときは、弾性体５０によって初期状態に戻される。
【００２８】
初期状態のときに弾性体５０がティップ１０を押し付ける力が、ティップ１０の摺動抵抗、すなわちティップ１０と第２バレル部２４の間の摩擦力より大きくなるよう、弾性体５０に初期たわみが与えられる。そのため、ティップ１０は弾性体５０によって初期状態に戻される。
【００２９】
また、弾性体５０は、先端部５０ａが４本の脚１４ｂの間に入り込むように形成される。これにより、脚１４ｂは第２バレル部２４の内周面２４ａ側にも押さえ付けられる。その結果、脚１４ｂが第２バレル部２４の内周面２４ａを押圧する力が大きくなり、第２バレル部２４内を摺動するときに発生する摩擦熱がより大きくなる。
【００３０】
以上のように構成されたダーツ１の動作を説明する。
遊技者によって投げられたダーツ１がダーツボードに命中したとする。ダーツボードとの衝突によってティップ１０はバレル２０に押し込まれる。ことのきティップ１０の４本の脚１４ｂが第２バレル部２４の内周面２４ａを摺動し、熱エネルギーが発生する。バレル２０に押し込まれたティップ１０は、弾性体５０により初期状態に戻される。このときもティップ１０の４本の脚１４ｂが第２バレル部２４の内周面２４ａを摺動し、熱エネルギーが発生する。加えて、ティップ１０とダーツボードとの摩擦によっても熱エネルギーが発生する。以上により、ダーツ１の運動エネルギーが熱エネルギーに変換されてダーツ１はダーツボードに捕捉される。
【００３１】
以上の構成により、ダーツ１はダーツボードに刺さる深さが比較的浅くなり、ダーツボードからダーツ１を抜くときの遊技者のストレスが低減される。
【００３２】
（第２の実施の形態）
第２の実施の形態に係るダーツ２００と第１の実施の形態に係るダーツ１との主な違いはティップの形状である。
図４は第２の実施の形態に係るダーツ２００のティップ２１０およびバレル２０周辺を示す断面図である。図４は図２（ａ）に対応する。
【００３３】
ティップ２１０は、先端部２１２と後端部２１４とを有する。先端部２１２の形状は、第１の実施の形態の先端部１２と同様である。後端部２１４は第１部材２１４ａと第２部材２１４ｂとを有する。第１部材２１４ａと第２部材２１４ｂは別体として形成される。ティップ２１０がバレル２０から抜けないように、第１部材２１４ａは、後端側の最大幅が第１バレル部２２の内径より大きく形成される。
【００３４】
第２部材２１４ｂには中心を貫通する孔２１４ｅが形成される。第１部材２１４ａの外周面には溝２１４ｆが形成され、この溝２１４ｆと第１バレル部２２の内周面２２ａとによって隙間２６２が形成される。また、第１部材２１４ａには孔２１４ｅと隙間２６２とを連通する連通孔２１４ｇが形成される。孔２１４ｅおよび連通孔２１４ｇおよび隙間２６２によって、バレル２０内とダーツ２００外部を連通する通気孔２６０が形成される。通気孔２６０の機能は第１の実施の形態の通気孔６０と同様である。
【００３５】
第１部材２１４ａと第２部材２１４ｂは、バレル２０の長手方向に対して角度θ傾いた面２１４ｃと面２１４ｄで摺動可能に当接する。これにより、第１部材２１４ａは、弾性体２５０からの前方向きの付勢力を、面２１４ｃに直交する方向の力Ｆとして受ける。つまり、第１部材２１４ａは、バレル２０の長手方向の力Ｆａに加えて、バレル２０の長手方向に直交する方向の力Ｆｂも受け、第２バレル部２４の内周面２４ａを押圧する。そのため、バレル２０に対するティップ１０の移動にともなって第１部材２１４ａが第２バレル部２４内を摺動し、摩擦熱が発生する。その結果、ダーツ２００の運動エネルギーの一部が消失する。
【００３６】
第２部材２１４ｂは、第１部材２１４ａから抗力として面２１４ｄに直交する方向の力Ｆを受ける。つまり、第２部材２１４ｂもバレル２０の長手方向に直交する方向の力Ｆｂを受け第２バレル部２４の内周面２４ａを押圧する。そのため、バレル２０がティップ１０に対して移動するとき、同様にダーツ２００の運動エネルギーの一部が摩擦熱として消失する。
このように、バレル２０の長手方向に対して角度θ傾いた面で摺接させることで、弾性体２５０の前方向きの付勢力の一部をそれに直交する方向の力に変換でき、ダーツ２００の運動エネルギーの一部を摩擦熱として消失させられる。
【００３７】
（第３の実施の形態）
第３の実施の形態に係るダーツ３００と第１の実施の形態に係るダーツ１との主な違いはティップの形状および弾性体の形状である。第３の実施の形態では、弾性体がバレル内を摺動し、摩擦熱が発生する。
図５は、第３の実施の形態に係るダーツ３００のティップ３１０およびバレル２０周辺を示す断面図である。図５は図２（ａ）に対応する。
【００３８】
ティップ３１０は、先端部３１２と後端部３１４とを有する。先端部３１２の形状は、第１の実施の形態の先端部１２と同様である。後端部３１４は、小径部３１４ａと、小径部３１４ａより大径の大径部３１４ｂとを有する。ティップ３１０がバレル２０から抜けないように、大径部３１４ｂの外径は第１バレル部２２の内径より大きく形成される。第１の実施の形態と同様に、後端部３１４の外周面に溝を設けることによって通気孔を形成してもよい。
【００３９】
第２バレル部２４内には、ティップ３１０とシャフト３０に挟まれて弾性体３５０が収容される。ここでは弾性体３５０はコイルばねである。弾性体３５０は、先端部３５０ａがバレル２０の長手方向に直交する方向に広がるように形成されており、第２バレル部２４の内周面２４ａを押圧する。そのため、バレル２０に対するティップ３１０の移動にともなって弾性体３５０が伸縮するとき、弾性体３５０の先端部３５０ａは第２バレル部２４内を摺動し、摩擦熱が発生する。その結果、ダーツ３００の運動エネルギーの一部が消失する。なお、弾性体３５０に加え、ティップ３１０の小径部３１４ａおよび大径部３１４ｂの少なくともいずれかがバレル２０内を摺動してもよい。
【００４０】
（第４の実施の形態）
第４の実施の形態に係るダーツ４００と第３の実施の形態に係るダーツ３００との主な違いは粘弾性体の有無である。第４の実施の形態では、粘弾性体の変形により熱エネルギーを発生させる。
図６（ａ）、図６（ｂ）は、第４の実施の形態に係るダーツ４００のティップ３１０およびバレル２０周辺を示す断面図である。図６（ａ）は図５に対応する。図６（ｂ）はダーツボードにダーツ４００が刺さり、粘弾性体４５０の形状が変形した状態を示す。
【００４１】
バレル２０内には、ティップ４１０とシャフト３０に挟まれて粘弾性体４５０が収容される。粘弾性体４５０は、例えば加硫ゴムにより形成される。粘弾性体４５０は、変形しやすいように、円柱の周りに複数の環状溝４５０ａが形成された形状を有する。粘弾性体４５０は、バレル２０に対するティップ１０の移動にともなって図６（ｂ）のごとく変形し、この変形によってダーツ４００の運動エネルギーの一部が熱エネルギーに変換されて消失する。
【００４２】
（第５の実施の形態）
第５の実施の形態では、第４の実施の形態と同様、粘弾性体の変形により熱エネルギーを発生させる。
図７（ａ）、図７（ｂ）は第５の実施の形態に係るダーツ５００のティップ５１０およびバレル５２０周辺を示す断面図である。図７（ｂ）はダーツボードにダーツ５００が刺さり、バレル５２０の形状が変形した状態を示す。
【００４３】
バレル５２０は粘弾性材料により形成される。例えば、加硫ゴムにより形成される。バレル５２０は断面が円形の円筒状に形成される。もちろん、断面が多角形である角筒状、その他の形状であってもよい。バレル５２０は、変形しやすいように、長手方向に沿ってスリットが形成されてもよい。バレル５２０の前端はティップ５１０に、後端はシャフト５３０にそれぞれ固定される。
【００４４】
ティップ５１０の後端部５１４は筒状部５１４ａを有する。シャフト５３０は円柱部５３０ａを有する。ダーツボードとの衝突によってシャフト５３０がティップ５１０に対して相対的に移動するとき、円柱部５３０ａは筒状部５１４ａ内をスライドする。つまり、筒状部５１４ａと円柱部５３０ａは、シャフト５３０がティップ５１０に対して直進するよう規制するガイドとして機能する。
【００４５】
ダーツボードとの衝突によってシャフト５３０がティップ５１０に向かって相対的に移動するとき、これに伴ってバレル５２０は、図６（ｂ）のごとく、中間部分が外側に広がるよう変形する。この変形によってダーツ５００の運動エネルギーの一部が熱エネルギーに変換されて消失する。
【００４６】
（第６の実施の形態）
第６の実施の形態に係るダーツ６００と第３の実施の形態に係るダーツ３００との主な違いは弾性体の形状である。第６の実施の形態では、弾性体はバレル内を摺動しない。
図８は第６の実施の形態に係るダーツ６００のティップ３１０およびバレル２０周辺を示す断面図である。図８は図５に対応する。
【００４７】
弾性体６５０は、第２バレル部２４内に収容される。ここでは弾性体６５０はコイルばねである。第３の実施の形態の弾性体３５０と異なり、弾性体６５０は第２バレル部２４の内周面２４ａを押圧しない。
【００４８】
例えばコイルばねである弾性体６５０が、バレル２０に対するティップ３１０の移動にともなって伸縮するとき、コイルばね自身のこすれなどによってダーツ１の運動エネルギーの一部が消失する。
【００４９】
（第７の実施の形態）
図９（ａ）、図９（ｂ）は第７の実施の形態に係るダーツ７００のティップ７１０およびバレル７２０周辺を示す断面図である。図９（ａ）は図２（ａ）に対応する。図９（ｂ）はダーツボードにダーツ７００が刺さり、慣性力により摺動部材７０が移動した状態を示す。
【００５０】
ティップ７１０、バレル７２０、シャフト７３０は樹脂材料により一体に形成される。もちろん、これらを別体として形成し、螺合により結合してもよい。バレル７２０内には前方に弾性体７５０、後方に摺動部材７０が収容されている。ここでは弾性体７５０はコイルばねである。
【００５１】
摺動部材７０は弾性体７５０により後方向きの付勢力を受ける。摺動部材７０はタングステンとニッケルの合金によって形成される。他の実施の形態と異なり、バレル７２０を比較的比重が小さい樹脂材料で形成しているため、摺動部材７０を比較的比重が大きい材料で形成し、ダーツ７００全体の重さを他の実施の形態と同程度にしている。なお、摺動部材７０は純タングステン、真鍮、その他の材料によって形成されてもよい。摺動部材７０は外周面７０ａがバレル７２０の内周面７２０ａと接している。そのため、ダーツ７００がダーツボードに刺さり、慣性力により摺動部材７０がバレル７２０に対して相対的に移動するとき、摺動部材７０はバレル７２０内を摺動し、摩擦熱が発生する。その結果、ダーツ７００の運動エネルギーの一部が消失する。
【００５２】
（第８の実施の形態）
図１０は第８の実施の形態に係るダーツ１０００のティップ１０１０およびバレル２０周辺を示す断面図である。図１０は図２（ａ）に対応する。
【００５３】
ティップ１０１０は、先端部１０１２と後端部１０１４とを有する。先端部１０１２の形状は、第１の実施の形態の先端部１２と同様である。後端部１０１４は、小径部１０１４ａと、小径部１０１４ａより大径の大径部１０１４ｂと、大径部１０１４ｂの後方に設けられる２本の脚１０１４ｃとを有する。小径部１０１４ａ、大径部１０１４ｂは第３の実施の形態の小径部３１４ａ、大径部３１４ｂに対応する。
【００５４】
バレル１０２０は第１バレル部２２と、第１バレル部２２の後方に設けられる第２バレル部２４と、第２バレル部２４に環囲される第３バレル部１０２６と、を有する。第３バレル部１０２６は弾性体１０５０によりシャフト３０に押し付けられている。第３バレル部１０２６は第２バレル部２４の長手方向に沿って延在する円柱部１０２６ａを有し、この円柱部１０２６ａは、ティップ１０１０の２本の脚１０１４ｃによって挟み込まれている。そのため、バレル１０２０に対するティップ１０１０の移動にともなって２本の脚１４ｃが円柱部１０２６ａを摺動し、摩擦熱が発生する。その結果、ダーツ１０００の運動エネルギーの一部が消失する。
【００５５】
（変形例１）
第１から第６実施の形態では、ティップが樹脂材料により形成されたソフトダーツの場合について説明したが、これに限らず、ティップが金属材料により形成されたハードダーツに適用してもよい。
【００５６】
（変形例２）
第１から第６の実施の形態では、ティップは、先端部と後端部とが一体に形成されている場合について説明したが、これに限られない。例えば先端部と後端部を別体とし、螺合により結合してもよい。これにより、市販のティップを先端部として用いることもできる。
【００５７】
（変形例３）
第１〜４、６実施の形態では、第１バレル部２２と第２バレル部２４とが一体に形成され、それぞれ断面が円形の円筒状である場合について説明したが、これに限られない。例えば、第１バレル部２２および第２バレル部２４の少なくとも一方が、断面が多角形である角筒状であってもよい。第１バレル部２２を角筒状にし、これに合わせてティップの後端部を角筒状にすれば、ティップがバレル２０に対して回転するのが抑止される。したがって、先端部と後端部を別体とする場合、後端部が第１バレル部２２に収容された状態でも容易に先端部を螺合できる。
【００５８】
また、第１バレル部２２および第２バレル部２４を別体として形成し、それらの間に回り止め部材を設けてもよい。ここでは、第２の実施の形態の変形例として説明する。図１１（ａ）は第２の実施の形態の変形例に係るダーツ７００のティップ７１０およびバレル７２０周辺を示す断面図である。図１１（ａ）は図４に対応する。図１１（ｂ）は、図１１（ａ）の回り止め部材２８および第１部材２１４ａのＣ−Ｃ線断面を示す。回り止め部材２８は、環状の部材であり、内周面に溝２８ａが形成されている。ここでは１２０度間隔で３つの溝２８ａが形成されている。ティップ７１０の後端部７１４の第１部材７１４ａには、その外周面に、長手方向に延びる突出部７１４ｈが形成される。ティップ７１０がバレル２０に取り付けられた状態では、回り止め部材２８の溝２８ａに第１部材７１４ａの突出部７１４ｈが嵌る。これにより、ティップ７１０がバレル２０に対して回転するのが抑止される。
【００５９】
（変形例４）
第１の実施の形態では、ティップ１０の後端部１４に設けられた脚１４ｂが４本の場合について説明したが、これに限らず、２本、３本、または５本以上であってもよい。また、ティップ１０の後端部１４は、第２バレル部２４の内周面２４ａを摺動するよう構成されていればよく、例えば後端部１４が円柱状に形成され、その外周に第２バレル部２４に摺動する突出部が設けられた形状であってもよい。
【００６０】
（変形例５）
第１の実施の形態では、ダーツ１は弾性体５０を有する場合について説明したが、これに限らず、弾性体５０を有しなくてもよい。この場合、ティップ１０がバレル２０に押し込まれたままになるが、ダーツ１をダーツボードから引き抜くときにティップ１０が初期状態に戻る。もちろん、手で初期状態に戻してもよい。
【００６１】
（変形例６）
第３の実施の形態では、弾性体３５０の先端部３５０ａが第２バレル部２４の内周面２４ａと接している場合について説明したが、これに限られない。例えば、弾性体３５０の中間部分が内周面２４ａと接してもよく、弾性体３５０全体が内周面２４ａと接してもよい。
【００６２】
（変形例７）
図１２（ａ）、図１２（ｂ）は、第５の実施の形態の変形例に係るダーツ８００のティップ５１０およびバレル５２０周辺を示す断面図である。図１２（ａ）、図１２（ｂ）は図７（ａ）、図７（ｂ）にそれぞれ対応する。本変形例では、バレル５２０の回りにコイルばね８５０設けられている。バレル５２０はコイルばね８５０によって変形が規制される。これにより、ダーツボードに刺さるときに、既にダーツボードに刺さっている他のダーツに、バレル５２０が衝突する事態の発生が低減される。
【００６３】
（変形例８）
図１３は、第２の実施の形態の他の変形例に係るダーツ１１００のティップ１１１０およびバレル２０周辺を示す断面図である。図１３は図４に対応する。
本変形例では、後端部１１１４の第１部材１１１４ａと第２部材１１１４ｂとは、ノコギリ歯状の面１１１４ｃと面１１１４ｄで当接する。これにより、傾斜角度θを変えずに第１部材１１１４ａおよび第２部材１１１４ｂの長手方向の長さを短くすることができる。
【００６４】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。
【００６５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６６】
請求項に記載の各構成要件が果たすべき機能は、実施の形態および変形例において示された各構成要素の単体もしくはそれらの連係によって実現されることも当業者には理解されるところである。
【符号の説明】
【００６７】
１  ダーツ、  １０  ティップ、  １２  先端部、  １４  後端部、  ２０  バレル、  ２２  第１バレル部、  ２４  第２バレル部、  ３０  シャフト、  ４０  フライト。
【図１】
2014094126.tif 000003
【図２】
2014094126.tif 000004
【図３】
2014094126.tif 000005
【図４】
2014094126.tif 000006
【図５】
2014094126.tif 000007
【図６】
2014094126.tif 000008
【図７】
2014094126.tif 000009
【図８】
2014094126.tif 000010
【図９】
2014094126.tif 000011
【図１０】
2014094126.tif 000012
【図１１】
2014094126.tif 000013
【図１２】
2014094126.tif 000014
【図１３】
2014094126.tif 000015